(57)【要約】【課題】  屋根の成形において、野地板上に瓦と換気装置の基部材とを葺く場合に、これら両者の間に良好なシールが確保されるようにすると共に、上記野地板にがたつきが生じないようにする。また、屋根の成形において、野地板上に瓦と換気装置の基部材とを葺く場合に、屋根の上面を全体的に平坦形状にできるようにする。【解決手段】  屋根１の野地板３上に瓦５と共に葺かれる基部材９と、この基部材９から上方に突設される換気パイプ１０と、この換気パイプ１０の上端部をその上方から覆うカバー体１１とを設ける。野地板３と基部材９とにそれぞれ形成される貫通孔１６，１７、換気パイプ１０の内孔２０、および換気パイプ１０の上部に形成される連通路２２により、屋根１の内外を連通させる換気通路２３を形成する。基部材９の上面１３を野地板３とほぼ平行な平坦形状にする。【選択図】  図１
2005325592.tif 000002
【特許請求の範囲】
【請求項１】
屋根の野地板上に瓦と共に葺かれる基部材と、この基部材から上方に突設される換気パイプと、この換気パイプの上端部をその上方から覆うカバー体とを設け、上記野地板と基部材とにそれぞれ形成される貫通孔、上記換気パイプの内孔、および上記換気パイプの上部に形成される連通路により、屋根の内外を連通させる換気通路を形成した屋根用換気装置において、
上記基部材の上面を上記野地板とほぼ平行な平坦形状にしたことを特徴とする屋根用換気装置。
【請求項２】
上記換気装置の基部材を板金製としたことを特徴とする請求項１に記載の屋根用換気装置。
【請求項３】
上記屋根の傾斜方向で、上記換気パイプの軸心よりも下方に上記カバー体の中心を位置させたことを特徴とする請求項１、もしくは２に記載の屋根用換気装置。
【請求項４】
請求項１に記載の換気装置の設置方法であって、上記基部材の上面に載置される瓦の一部分の下面が、上記基部材の上面とほぼ平行な面となるよう上記瓦の一部分を除去加工するようにしたことを特徴とする屋根用換気装置の設置方法。
【発明の詳細な説明】
【技術分野】
【０００１】
本発明は、屋根の野地板上に、複数の瓦に取り囲まれるよう設置される屋根用換気装置、およびその設置方法に関するものである。
【背景技術】
【０００２】
上記屋根用換気装置には、従来、下記特許文献１に示されるものがある。この公報のものによれば、上記換気装置には、屋根の野地板上に瓦と共に葺かれる基部材と、この基部材から上方に突設される換気パイプと、この換気パイプの上端部をその上方から覆うカバー体とが設けられている。
【０００３】
上記基部材は、この基部材と共に野地板上に葺かれる瓦とほぼ同形状の陶磁製とされて、その上面が波打つような屈曲形状とされている。
【０００４】
上記野地板と基部材とにそれぞれ形成される貫通孔、上記換気パイプの内孔、および上記換気パイプの上部に形成される連通路により、屋根の内外を連通させる換気通路が形成されている。そして、上記換気装置の換気通路を通して、上記屋根の内側から外側に空気が流動し、これによって、上記屋根の内側が換気される。
【０００５】
【特許文献１】特開２０００−１４５０３７号公報
【発明の開示】
【発明が解決しようとする課題】
【０００６】
ところで、屋根の成形には、近時、平坦形状の瓦が多用されている。そこで、このような平坦形状の瓦を用いることとし、これら瓦と上記換気装置の基部材とを野地板上に葺くとする。すると、上記換気装置の基部材の上面と、この上面に載置される瓦との間には部分的に大きな隙間が生じる。このため、上記瓦と基部材との間にシール上の問題点が生じる可能性があり、また、上記瓦にがたつきが生じる可能性もある。
【０００７】
また、上記従来の技術における換気装置の基部材は屈曲形状であるため、その占有空間が大きい。このため、野地板上に、平坦形状の瓦と共に上記換気装置の基部材を葺くと、屋根の上面における上記基部材の部分が、他の部分に比べて上方に突出しがちとなる。つまり、上記従来の技術の換気装置を用いようとする場合には、屋根の上面を全体的に平坦形状にさせることは困難である。
【課題を解決するための手段】
【０００８】
本発明は、上記のような事情に注目してなされたもので、本発明の目的は、屋根の成形において、野地板上に瓦と換気装置の基部材とを葺く場合に、これら両者の間に良好なシールが確保されるようにすると共に、上記野地板にがたつきが生じないようにすることである。
【０００９】
また、本発明の他の目的は、屋根の成形において、野地板上に瓦と換気装置の基部材とを葺く場合に、屋根の上面を全体的に平坦形状にできるようにすることである。
【００１０】
また、本発明の更に他の目的は、上記屋根用換気装置を通り、風雨が屋根の内側に向かって容易には逆流しないようにすることである。
【００１１】
請求項１の発明は、屋根１の野地板３上に瓦５と共に葺かれる基部材９と、この基部材９から上方に突設される換気パイプ１０と、この換気パイプ１０の上端部をその上方から覆うカバー体１１とを設け、上記野地板３と基部材９とにそれぞれ形成される貫通孔１６，１７、上記換気パイプ１０の内孔２０、および上記換気パイプ１０の上部に形成される連通路２２により、屋根１の内外を連通させる換気通路２３を形成した屋根用換気装置において、
上記基部材９の上面１３を上記野地板３とほぼ平行な平坦形状にしたものである。
【００１２】
請求項２の発明は、請求項１の発明に加えて、上記換気装置６の基部材９を板金製としたものである。
【００１３】
請求項３の発明は、請求項１、もしくは２の発明に加えて、上記屋根１の傾斜方向Ａで、上記換気パイプ１０の軸心１０ａよりも下方に上記カバー体１１の中心１１ａを位置させたものである。
【００１４】
請求項４の発明は、請求項１に記載の換気装置の設置方法であって、上記基部材９の上面１３に載置される瓦５の一部分２６の下面が、上記基部材９の上面１３とほぼ平行な面２７となるよう上記瓦５の一部分２６を除去加工するようにしたものである。
【００１５】
なお、この項において、上記各用語に付記した符号は、本発明の技術的範囲を後述の「実施例」の項や図面の内容に限定解釈するものではない。
【発明の効果】
【００１６】
本発明による効果は、次の如くである。
【００１７】
請求項１の発明は、屋根の野地板上に瓦と共に葺かれる基部材と、この基部材から上方に突設される換気パイプと、この換気パイプの上端部をその上方から覆うカバー体とを設け、上記野地板と基部材とにそれぞれ形成される貫通孔、上記換気パイプの内孔、および上記換気パイプの上部に形成される連通路により、屋根の内外を連通させる換気通路を形成した屋根用換気装置において、
上記基部材の上面を上記野地板とほぼ平行な平坦形状にしている。
【００１８】
このため、屋根の成形に、例えば、平坦形状の瓦を用いることとし、野地板上に上記瓦と共に換気装置の基部材を葺いたとすると、上記基部材と、この基部材の上面に載置される瓦との間には大きな隙間の生じることが防止される。よって、上記瓦と換気装置の基部材との間には良好なシールが確保されると共に、上記瓦にがたつきの生じることも防止される。
【００１９】
請求項２の発明は、上記換気装置の基部材を板金製としている。
【００２０】
このため、強度上、上記基部材は全体として薄い平板状に形成でき、上記基部材の占有空間を小さく抑制できる。よって、屋根の成形において、野地板上に瓦と換気装置の基部材とを葺く場合に、屋根の上面における上記基部材の部分が、他の部分に比べて上方に突出するということが防止される。この結果、屋根の上面を全体的に平坦形状にさせることができる。
【００２１】
請求項３の発明は、上記屋根の傾斜方向で、上記換気パイプの軸心よりも下方に上記カバー体の中心を位置させている。
【００２２】
このため、上記換気パイプとカバー体との間に生じる隙間を、上記傾斜方向における上部側で小さく、下部側で大きくできる。よって、上記屋根の上面に沿い、その傾斜方向の下方に向かって勢いよく流動する風雨が、上記隙間を通り上記屋根の内側に容易に逆流するということは防止される。
【００２３】
請求項４の発明は、請求項１に記載の換気装置の設置方法であって、上記基部材の上面に載置される瓦の一部分の下面が、上記基部材の上面とほぼ平行な面となるよう上記瓦の一部分を除去加工するようにしている。
【００２４】
このため、屋根の成形に、例えば、下面が屈曲した形状の瓦を用いる場合には、上記したように、基部材の上面に載置される瓦の一部分の下面が、基部材の上面とほぼ平行な面となるよう上記瓦の一部分を除去加工する。すると、上記基部材と、この基部材の上面に載置される瓦との間に大きな隙間の生じることが抑制される。よって、上記瓦と換気装置の基部材との間に良好なシールが確保されると共に、上記瓦にがたつきの生じることも防止される。
【００２５】
上記の場合、基部材の上面は平坦形状であるため、この上面とほぼ平行な面となるよう上記瓦の一部分を除去加工する、ということは容易にできる。
【発明を実施するための最良の形態】
【００２６】
本発明の屋根用換気装置に関し、屋根の成形において、野地板上に瓦と換気装置の基部材とを葺く場合に、これら両者の間に良好なシールが確保されるようにすると共に、上記野地板にがたつきが生じないようにする、という目的を実現するため、本発明を実施するための最良の形態は、次の如くである。
【００２７】
即ち、換気装置には、屋根の野地板上に瓦と共に葺かれる基部材と、この基部材から上方に突設される換気パイプと、この換気パイプの上端部をその上方から覆うカバー体とが設けられる。上記野地板と基部材とにそれぞれ形成される貫通孔、上記換気パイプの内孔、および上記換気パイプの上部に形成される連通路により、屋根の内外を連通させる換気通路を形成する。上記基部材の上面を上記野地板とほぼ平行な平坦形状にする。
【実施例】
【００２８】
本発明をより詳細に説明するために、その実施例を添付の図に従って説明する。
【００２９】
図１―３において、符号１は建物の屋根で、この屋根１は、この屋根１の傾斜方向Ａに延びる垂木２と、この垂木２に支持されて上記傾斜方向Ａに延びる野地板３と、この野地板３上に支持される桟木４と、上記野地板３上に葺かれて上記桟木４に支持されるコンクリート製の複数の瓦５と、これら瓦５に取り囲まれるように上記野地板３上に設置される換気装置６とを備えている。
【００３０】
上記換気装置６は、上記野地板３上に瓦５と共に葺かれる板金製基部材９と、上記基部材９のほぼ中央部から上方に突設される角筒形状の板金製換気パイプ１０と、この換気パイプ１０の上端部をその上方から覆う矩形状の板金製カバー体１１と、上記基部材９に取り付けられて上記瓦５と基部材９との間をシールするスポンジ状のシール材１２とを備えている。
【００３１】
上記基部材９は上記傾斜方向Ａと野地板３とに沿って延び、全体として薄い平板の矩形状に形成されている。また、この基部材９の上面１３は上記傾斜方向Ａと野地板３とに沿って延びると共に、この野地板３とほぼ平行な平坦形状とされ、上記傾斜方向Ａと同じ方向に傾斜させられている。また、上記カバー体１１は、倒立盆形状をなし、上記換気パイプ１０に支持されている。
【００３２】
上記換気パイプ１０のほぼ軸心１０ａ上で、上記野地板３と基部材９とにそれぞれ貫通孔１６，１７が形成されている。上記野地板３の上面には、この野地板３の貫通孔１６を取り囲むように水切りパイプ１９が取り付けられて、この水切りパイプ１９の上端部は上記基部材９の貫通孔１７と、換気パイプ１０の内孔２０とに嵌入されている。また、上記換気パイプ１０の上部にはこの換気パイプ１０の内孔２０を上記カバー体１１の外部に連通させる連通路２２が形成されている。
【００３３】
より具体的には、上記連通路２２は、上記換気パイプ１０の上端部とカバー体１１の内面との間に形成されている。上記各貫通孔１６，１７、水切りパイプ１９の内孔、上記換気パイプ１０の内孔２０、および連通路２２により、屋根１の内外を連通させる換気通路２３が形成されている。
【００３４】
上記傾斜方向Ａで、上記換気パイプ１０の軸心１０ａよりも下方に上記カバー体１１の中心１１ａが位置させられている。この場合、上記傾斜方向Ａにおける上記換気パイプ１０の上部外面と、上記カバー体１１の上部内面とが面接合させられている。これにより、上記連通路２２は、上記傾斜方向Ａにおける換気パイプ１０の上部の左右側部と、下部とに形成されている。
【００３５】
そして、上記換気装置６の換気通路２３を通して、上記屋根１の内側から外側に空気２５が流動し、これによって、上記屋根１の内側が換気される。
【００３６】
図４において、上記野地板３上に換気装置６を設置する方法を説明する。
【００３７】
まず、上記傾斜方向Ａで、上記換気装置６よりも下側の瓦５を上記野地板３上に葺き、次に、上記換気装置６の基部材９と、これの左右方向（傾斜方向Ａの直交方向）の瓦５とを葺く（図４）。
【００３８】
次に、上記傾斜方向Ａで、上記換気装置６よりも上側の瓦５を葺く。この際、上記基部材９の上面１３に載置される瓦５の一部分２６の下面のうち、少なくとも一部が上記基部材９の上面１３とほぼ平行な面２７となるよう、上記瓦５の一部分２６の下面がグラインダーやカッターなどにより除去加工される（除去部分は符号２６´で示す）。
【００３９】
上記瓦５の一部分２６は、上記傾斜方向Ａでの瓦５の下端部であり、上記基部材９の上面１３と上記瓦５の一部分２６の面２７との間に上記シール材１２が介設される。これにより、上記換気装置６の設置が終了する。
【００４０】
上記構成によれば、基部材９の上面１３を上記野地板３とほぼ平行な平坦形状にしている。
【００４１】
このため、屋根１の成形に、例えば、平坦形状の瓦５を用いることとし、この瓦５を上記基部材９の上面１３に葺いたとすると、これら瓦５と基部材９との間には大きな隙間の生じることが防止される。よって、上記瓦５と換気装置６の基部材９との間には良好なシールが確保されると共に、上記瓦５にがたつきの生じることも防止される。
【００４２】
また、前記したように、換気装置６の基部材９を板金製としている。
【００４３】
このため、強度上、上記基部材９は全体として薄い平板状に形成でき、上記基部材９の占有空間を小さく抑制できる。よって、屋根１の成形において、野地板３上に瓦５と換気装置６の基部材９とを葺く場合に、屋根１の上面における上記基部材９の部分が、他の部分に比べて上方に突出するということが防止される。この結果、屋根１の上面を全体的に平坦形状にさせることができる。
【００４４】
また、前記したように、屋根１の傾斜方向Ａで、上記換気パイプ１０の軸心１０ａよりも下方に上記カバー体１１の中心１１ａを位置させている。
【００４５】
このため、上記換気パイプ１０とカバー体１１との間に生じる隙間を、上記傾斜方向Ａにおける上部側で小さく、下部側で大きくできる。よって、上記屋根１の上面に沿い、その傾斜方向Ａの下方に向かって勢いよく流動する風雨が、上記隙間を通り上記屋根１の内側に容易に逆流するということは防止される。
【００４６】
また、前記した換気装置６の設置方法であって、上記基部材９の上面１３に載置される瓦５の一部分２６の下面が、上記基部材９の上面１３とほぼ平行な面２７となるよう上記瓦５の一部分２６を除去加工するようにしている。
【００４７】
このため、屋根１の成形に、例えば、下面が屈曲した形状の瓦５を用いる場合には、上記したように、基部材９の上面１３に載置される瓦５の一部分２６の下面の少なくとも一部が、基部材９の上面１３とほぼ平行な面２７となるよう上記瓦５の一部分２６を除去加工する。すると、上記基部材９と、この基部材９の上面１３に載置される瓦５との間に大きな隙間の生じることが抑制される。よって、上記瓦５と換気装置６の基部材９との間に良好なシールが確保されると共に、上記瓦５にがたつきの生じることも防止される。
【００４８】
上記の場合、瓦５はコンクリート製であり、かつ、換気装置６の基部材９の上面１３は平坦形状であるため、この上面１３とほぼ平行な面２７となるよう上記瓦５の一部分２６を除去加工する、ということは容易にできる。
【００４９】
なお、以上は図示の例によるが、瓦５は陶磁製であってもよく、この場合にも、瓦５がコンクリート製である場合と同様に上記除去加工が容易にできる。また、瓦５は板金製であってもよい。また、上記カバー体１１は基部材９に支持させてもよい。
【図面の簡単な説明】
【００５０】
【図１】屋根の側面断面図である。
【図２】屋根の斜視図である。
【図３】傾斜方向に沿った視線でみた屋根の断面図である。
【図４】図２に相当する図であって、屋根の部分展開図である。
【符号の説明】
【００５１】
１    屋根
３    野地板
４    桟木
５    瓦
６    換気装置
９    基部材
１０  換気パイプ
１０ａ  軸心
１１  カバー体
１１ａ  中心
１２  シール材
１３  上面
１６  貫通孔
１７  貫通孔
２０  内孔
２２  連通路
２３  換気通路
２５  空気
２６  一部分
２７  面
Ａ    傾斜方向
【図１】
2005325592.tif 000003
【図２】
2005325592.tif 000004
【図３】
2005325592.tif 000005
【図４】
2005325592.tif 000006